(57)【要約】【課題】既存建物の床スラブ上に後付けで簡単に支柱を設置することのできる床スラブ用支柱脚部の固定構造を提供すること。【解決手段】既存建物の床スラブ上に後付けで柵や囲いを設置するための支柱を設置するための床スラブ用支柱脚部の固定構造であって、所定壁面とその両側端に直角に接続された第２、第３の壁面が断面溝形状を成したチャンネル型鋼と、前記チャンネル型鋼のそれぞれの壁面内側に溶着された３本の鉄筋材とからなり、前記鉄筋材は、前記チャンネル型鋼から所定寸法だけ長手方向に突出しており、前記床スラブの配筋状態に応じて不要の鉄筋材を切徐し、残余の鉄筋材を埋設し、その上から角筒状の支柱材を挿入固定するので、床スラブ上に後付けで簡単に支柱を設置することができる。【選択図】図１
2008174923.tif 000002
【特許請求の範囲】
【請求項１】
既存建物の床スラブ上に後付けで柵や囲いを設置するための支柱を設置するための床スラブ用支柱脚部の固定構造であって、
所定壁面とその両側端に直角に接続された第２、第３の壁面が断面溝形状を成したチャンネル型鋼と、前記チャンネル型鋼のそれぞれの壁面内側に溶着された３本の鉄筋材とからなり、前記鉄筋材は、前記チャンネル型鋼から所定寸法だけ長手方向に突出しており、前記床スラブの配筋状態に応じて不要の鉄筋材を切徐し、残余の鉄筋材を埋設し、
その上から角筒状の支柱材を挿入固定することを特徴とする床スラブ用支柱脚部の固定構造。
【請求項２】
前記鉄筋材は、チャンネル型鋼の長手方向に沿って溶着された異形鉄筋であることを特徴とする請求項１に記載の床スラブ用支柱脚部の固定構造。
【請求項３】
前記チャンネル型鋼は、所定位置に支柱材固定用のネジ孔が形成されたことを特徴とする請求項１または２に記載の床スラブ用支柱脚部の固定構造。
【発明の詳細な説明】
【技術分野】
【０００１】
本発明は、既存建物の床スラブ上に後付けで柵や囲いを設置する際の床スラブ用支柱脚部の固定構造に関するものである。
【背景技術】
【０００２】
一般に、既存ビルの床スラブ上に後付けで柵や囲いを設置する場合、コンクリートを斫って、鉄筋に当たらないようにして支柱が取り付けられ、固定されている。床スラブの内部に設置されたスラブ筋は、例えば、１５０ｍｍピッチで配筋されている。しかし、鉄筋検出器によって、スラブ筋の位置を事前に知る事が出来るが、偶然に、アンカー用の穿孔位置とスラブ筋の位置が一致した場合、アンカー用穿孔位置・支柱位置をずらす事は、壁や床の割付け・納まり・ユニットの寸法等の関係から変更が極めて難しいのが現状であった。
【発明の開示】
【発明が解決しようとする課題】
【０００３】
しかし、従来の床スラブ用支柱脚部の固定構造にあっては、床スラブに挿入する鉄筋材が１本しか存在しなかったので、現場で床に穿孔して、スラブ筋に当たらない場合には、そのまま支柱を設置することができるが、スラブ筋に当たる場合には、支柱の位置を変更しなければならないと云う問題点が存在した。
【課題を解決するための手段】
【０００４】
前記目的を達成するために、請求項１に記載の発明は、既存建物の床スラブ上に後付けで柵や囲いを設置するための支柱を設置するための床スラブ用支柱脚部の固定構造であって、所定壁面とその両側端に直角に接続された第２、第３の壁面が断面溝形状を成したチャンネル型鋼と、前記チャンネル型鋼のそれぞれの壁面内側に溶着された３本の鉄筋材とからなり、前記鉄筋材は、前記チャンネル型鋼から所定寸法だけ長手方向に突出しており、前記床スラブの配筋状態に応じて不要の鉄筋材を切徐し、残余の鉄筋材を埋設し、その上から角筒状の支柱材を挿入固定することを特徴としている。
【０００５】
また、請求項２に記載の発明において、前記鉄筋材は、チャンネル型鋼の長手方向に沿って溶着された異形鉄筋であることを特徴とするものである。
【０００６】
また、請求項３に記載の発明において、前記チャンネル型鋼は、所定位置に支柱材固定用のネジ孔が形成されたことを特徴とするものである。
【発明の効果】
【０００７】
この発明は前記した構成からなるので、以下に説明するような効果を奏することができる。
【０００８】
請求項１に記載の発明では、既存建物の床スラブ上に後付けで柵や囲いを設置するための支柱を設置するための床スラブ用支柱脚部の固定構造であって、所定壁面とその両側端に直角に接続された第２、第３の壁面が断面溝形状を成したチャンネル型鋼と、前記チャンネル型鋼のそれぞれの壁面内側に溶着された３本の鉄筋材とからなり、前記鉄筋材は、前記チャンネル型鋼から所定寸法だけ長手方向に突出しており、前記床スラブの配筋状態に応じて不要の鉄筋材を切徐し、残余の鉄筋材を埋設し、その上から角筒状の支柱材を挿入固定するので、既存の床スラブを穿孔して支柱を設置する際に床鉄筋に当たっても、当該位置の鉄筋材を切徐し、残りの鉄筋を使用して支柱を固定することができる。したがって、従来のように支柱の位置をずらせたりする必要がなく、所定の位置に柵や囲いを設けることができる。
【０００９】
また、請求項２に記載の発明において、前記鉄筋材は、チャンネル型鋼の長手方向に沿って溶着された異形鉄筋であるので、埋め戻す際の充填材との接着性が良く、支柱を確実に固定することができる。
【００１０】
また、請求項３に記載の発明において、前記チャンネル型鋼は、所定位置に支柱材固定用のネジ孔が形成されたので、上から挿入する支柱材をタッピングネジ等で固定する際の作業が容易となる。また、確実に支柱を固定することができる。
【発明を実施するための最良の形態】
【００１１】
本発明は、チャンネル型鋼のそれぞれの壁面内側に溶着されかつ、チャンネル型鋼から所定寸法だけ長手方向に突出した３本の鉄筋材を備えており、既存床を穿孔した際に床鉄筋と当接する鉄筋材を切徐し、残余の鉄筋材を埋設し、その上から角筒状の支柱材を挿入固定するので、既存の床スラブの配筋状況に影響を受けることなく、所望の位置に支柱を設置することのできる床スラブ用支柱脚部の固定構造を実現した。
【実施例１】
【００１２】
以下、一実施の形態を示す図面に基づいて本発明を詳細に説明する。図１は本発明に係る床スラブ用支柱脚部の固定構造の一例を示す斜視図、図２は本発明の床スラブ用支柱脚部の固定構造の第１の使用形態を示す縦断面図、図３は、本発明の第１の使用形態における横断面図である。ここで、床スラブ用支柱脚部の固定構造１０は、既存建物の床スラブ１１上に後付けで柵や囲いを設置するための支柱１２を設置するためのものであって、所定壁面１３とその両側端に直角に接続された第２、第３の壁面１４、１５が断面溝形状を成したチャンネル型鋼１６と、前記チャンネル型鋼１６のそれぞれの壁面１３、１４、１５内側に溶着された３本の鉄筋材１７、１８、１９とからなり、前記鉄筋材１７、１８、１９は、前記チャンネル型鋼１６から所定寸法Ｌ、例えば、５０ｍｍだけ長手方向に突出しており、前記床スラブ１１のスラブ筋２１の状態に応じて不要の鉄筋材を切徐し、残余の鉄筋材を埋設し、その上から角筒状の支柱材２０を挿入固定するものである。
【００１３】
チャンネル型鋼１６は、所定位置に支柱材固定用のネジ孔２４が形成されている。また、鉄筋材１７、１８、１９は、異形鉄筋であってチャンネル型鋼１６の長手方向に沿って溶着されている。異形鉄筋とすることによって埋め戻す際の充填材との接着性が良く、支柱を確実に固定することができる。
【００１４】
以上のように構成された本発明に係る床スラブ用支柱脚部の固定構造１０の使用方法について説明する。先ず、支柱１２を設置するべき既存建物の床スラブ１１にチャンネル型鋼１６を固定するための孔を穿設する。始めに、チャンネル型鋼１６の両端側に取り付けられた鉄筋材１８、１９に対応する位置を穿孔してみる。図２、３に示すように、穿孔作業が、スラブ筋２１に邪魔されずに行われた場合には、鉄筋材１８、１９用に２箇所だけ穿孔し、中央の鉄筋材１７を切断する。穿孔した孔に鉄筋材１８、１９を挿入した後、充填・接着材２２を充填して、チャンネル型鋼１６を固定する。チャンネル型鋼１６が固定された後、上から支柱材２０を挿通し、タッピングネジ２３で固着する。この際、タッピングネジは、チャンネル型鋼１６に穿設されたネジ孔２４部分にねじ込むことにより、簡易に取り付けることができる。更に、支柱材２０と床スラブ１１の境部分には、カバー部材２５が取り付けられる。このカバー部材２５は、タッピングネジ２３を取り付ける前に支柱材２０の上から挿通する。
【００１５】
次に、図４、５に示すように鉄筋材１８、１９を挿入するための穿孔作業が、スラブ筋２１に邪魔された場合、中央の鉄筋材１７の部分を穿孔し、鉄筋材１７を残して鉄筋材１８、１９の両方を切断する。この場合、チャンネル型鋼１６は、鉄筋材１７の一本で固定される。中央の鉄筋材１７の１本のみであるため、鉄筋材１８、１９の場合に比べて、支柱材２０としての曲げ耐力は、若干低下するが十分に供用できる。穿孔した孔に鉄筋材１７を挿入した後、充填・接着材２２を充填して、チャンネル型鋼１６を固定する。前述のように、チャンネル型鋼１６が固定された後、上から支柱材２０を挿通し、タッピングネジ２３で固着する。同様に、支柱材２０と床スラブ１１の境部分には、カバー部材２５が取り付けられる。
【００１６】
このように本発明の床スラブ用支柱脚部の固定構造によれば、スラブ筋２１の配筋状態に左右されることなく、床スラブ１１上に後付けで簡単に支柱を設置することができる。また、従来のようにスラブ筋の位置によって支柱の位置をずらす必要もない。したがって、床スラブ１１の所望の位置に支柱を設置して、柵や囲いを設置することができる。
【００１７】
図６は、本発明の床スラブ用支柱脚部の固定構造により設置した玄関アルコーブの手摺り・扉を示す正面図である。本実施例において、床スラブ１１の所望の位置に鉄筋材を挿入するための孔を穿孔する。穿孔の状態によって前述のように、鉄筋材１８、１９用の穿孔が可能である場合には、中央の鉄筋材１７を切断して、鉄筋材１８、１９で固定する。鉄筋材１８、１９用の穿孔時にスラブ筋２１に当たる場合には、鉄筋材１８、１９を切断し、中央の鉄筋材１７で床スラブ１１に固定する。このようにして所定位置に固定したチャンネル型鋼１６に上から支柱１２を装着し、タッピングネジ２３で固定する。所定間隔で立設された支柱１２には、上枠２５及び下枠２６をＬ字金具２７で取り付ける。Ｌ字金具２７は、図外のビスによって支柱１２と上枠２５及び下枠２６を連結する。また、上枠２５及び下枠２６の間には、縦に格子２８が取り付けられている。更に、上枠２５及び下枠２６の端部と壁面或いは柱と接続する場合には、Ｌ字金具２７をアンカーボルトで取り付ける。また、開閉扉２９を設置する場合は、支柱の間に扉部材の一端側をヒンジ３０で開閉自在に取り付ける。
【００１８】
なお、本発明は上述の実施例に限定されることなく、特許請求の範囲の記載に基づいて種々の設計変更が可能である。
【図面の簡単な説明】
【００１９】
【図１】図１は、本発明に係る床スラブ用支柱脚部の固定構造の一例を示す斜視図である。
【図２】図２は、同床スラブ用支柱脚部の固定構造の第１の使用形態を示す縦断面図である。
【図３】図３は、同第１の使用形態における横断面図である。
【図４】図４は、同床スラブ用支柱脚部の固定構造の第２の使用形態を示す縦断面図である。
【図５】図５は、同第２の使用形態における横断面図である。
【図６】図６は、同床スラブ用支柱脚部の固定構造により設置した玄関アルコーブの手摺り・扉を示す正面図である。
【符号の説明】
【００２０】
１０      床スラブ用支柱脚部の固定構造
１１      床スラブ
１２      支柱
１３、１４、１５  所定壁面
１６      チャンネル型鋼
１７、１８、１９  鉄筋材
２０      支柱材
２１      スラブ筋
２２      充填・接着材
２３      タッピングネジ
２４      ネジ孔
２５      上枠
２６      下枠
２７      Ｌ字金具
２８      格子
２９      開閉扉
３０      ヒンジ
【図１】
2008174923.tif 000003
【図２】
2008174923.tif 000004
【図３】
2008174923.tif 000005
【図４】
2008174923.tif 000006
【図５】
2008174923.tif 000007
【図６】
2008174923.tif 000008